(57)【要約】【課題】便利で多用途、高強度、断熱性、防音性、軽量性に優れた丸太構造材を提供し、丸太用途を拡充し、林業支援を行う。【解決手段】複数の長尺丸太素材を並列に配置し、前記丸太の縦方向の少なくとも２ヶ所を横方向に対し矩形を為す鋼製バンド部材で囲んで強固に固定し、前記バンド部材の少なくとも一方向の外部側から各素材に対し釘又はねじを打ち、縦横規格寸法に仕上げたことを特徴とする丸太構造材。【選択図】      図１
2004230697.tif 000002
【特許請求の範囲】
【請求項１】
複数の長尺丸太素材を並列に配置し、前記丸太の縦方向の少なくとも２ヶ所を横方向に対し矩形を為す鋼製バンド部材で囲んで強固に固定し、前記バンド部材の少なくとも一方向の外部側から各素材に対し釘又はねじを打ち、縦横規格寸法に仕上げたことを特徴とする丸太構造材。
【請求項２】
複数の長尺丸太素材を並列に配置し、前記丸太の縦方向の少なくとも２ヶ所を横方向に対し矩形を為す鋼製バンド部材で囲んで強固に固定し、前記バンド部材の少なくとも一方向の外部側から各素材に対し釘又はねじを打ち、縦横規格寸法に仕上げ、かくして仕上げた構造材の一平面又は両平面、或は縦方向上下端部を残した全面にラス網その他の補強接合材を介してコンクリートその他の成型板を一体化したことを特徴とする丸太構造材。
【発明の詳細な説明】
【０００１】
【発明の属する技術分野】
本発明は、間伐材等丸太を平板状に束ねて規格寸法に仕上げられ、断熱性、防音性に優れた軽量で強固な丸太構造材に関する。
【０００２】
【従来の技術】
近年、我が国の林業低迷により、丸太材が供給過多になり、強度、断熱性、防音性に優れた木材の有効利用が困難となっている。林業家にとっては、山の手入れに伴って発生する間伐材を販売できず、山の手入れもままならず、由々しき問題点となっている。
【０００３】
一方で、従来より、木材を基材とする構造材としては、柱及び一枚物の板材が主流であり、外国輸入の大木樹皮を重ね接合して製造されるコンパネ材が市販されている。
【０００４】
間伐材を有効利用する手法としては、特開平０８−３２６０２３号公報（防護柵）に見られるように、従来波状鋼板を用いて製造されていた防護柵の波状鋼板に代え、支柱に対し２〜３本の木材ビームを横架するようにした例がある。この木製防護柵によれば、自然保護をテーマとした審美性の高い防護柵を提供でき、かつ間伐材の有効利用により、林業支援を行うことができる。
【０００５】
【特許文献１】
特開平０８−３２６０２３号公報、第１頁、図１
【０００６】
【発明が解決しようとする課題】
本発明は、建築、土木、その他各種の建設設備に汎用できる新規の丸太構造材を提供することにより、間伐材の有効活用を図り、林業支援することを目的とする。
【０００７】
また、高強度で、断熱性、防音性に優れた丸太構造材を安価に提供し、各建設設備に合わせて便利に利用させることを目的とする。
【０００８】
【課題を解決するための手段】
上記課題を解決することができる本発明の丸太構造材は、複数の１〜３ｍの長尺丸太素材を並列に配置し、前記丸太の縦方向の少なくとも２ヶ所を横方向に対し矩形を為す鋼製バンド部材で囲んで強固に固定し、前記バンド部材の少なくとも一方向の外部側から各素材に対し釘又はねじを打ち、縦横規格寸法に仕上げたことを特徴とする。
【０００９】
丸太素材に樹皮を付けたままとするか、或は皮を剥いだ状態とするかは、用途に応じる。素材間の隙間の要否は、設計、用途に応じる。
【００１０】
横方向に矩形を為す鋼製バンド部材は、丸太相互を強固に固定するため必須である。このバンド部材は、アングル材等鋼材を矩形に結合して構成することができる。結合は、溶接により又はボルト及びナットを用いて行うことができる。或は、アングル材と鉄筋（丸棒）材を組合せ、例えば丸太横方向に設けた貫通孔に鉄筋を挿通し、これと丸太の一側面で横方向に沿わせたアングル材とを側面でボルトや溶接で固定すること等で構成できる。
【００１１】
各丸太素材は、鋼製バンド部材に対し、前期バンド部材の少なくとも一方向の外部側から各素材に対し釘又はねじを打つことにより、相互に固定する。固定部材が釘の場合、この固定位置におけるバンド部材と丸太束材との間の隙間は、必要ならばスペーサを噛ませて相互ずれを固定する。固定部材がねじの場合は、相互ずれは生じないのでスペーサは不用である。
【００１２】
規格寸法としては、種別、用途に応じ、縦横１ｍ×２ｍ、１ｍ×３ｍ、１．５ｍ×１．８ｍ、２ｍ×２ｍ等と定められる。
【００１３】
仕上げた構造材の一平面又は両平面、或は縦方向上下端部を残した全面にラス網その他の補強接合材を介してコンクリートその他の成型板を一体化して成型板一体型の丸太構造材とすることもできる。一面又は両面、或は端部を残した全面にコンクリートや石膏ボードを一体化させ、例えばコンクリート壁面としたい壁面にコンクリート面を臨ませることにより、容易にコンクリート壁面を構築できる。補強接合材としては、ラス網の他、樹脂製ネット等の例がある。
【００１４】
以上の通り構成される丸太構造材は、並列配置した複数の長尺丸太材の縦方向の少なくとも２ヶ所に、横方向に対し矩形を為す鋼製バンド部材で強固に結合した形となり、規格寸法に仕上げた丸太構造材として、建築物の壁材、道路防護壁、擁壁、天井、床材、その他各用途に対応して利用できる。丸太としては、間伐材そのものの他、一部製材したもの２分割したもの等を利用できる。竹材も含めることができる。
【００１５】
複数の長尺丸太材を並列に配置するに際し、同一長さの丸太の上下位置を縦方向中央位置まで一定寸法づつづらせ、次いで反対方向にずらせ、一方向で突出し、他方向で凹む形の矢羽根状に形成することもできる。かくして形成された矢羽根状の丸太構造材は、組み立て使用するとき、凹みと凸部を合わせて接合することにより、接合強度大にして耐震性を持たせることができる。
【００１６】
軽量性の点から見れば、コンクリートブロックに対し、重量１／３〜１／５とすることができ、組立と作業が容易で、搬送費用も格別安くて済む。
【００１７】
【発明の実施の形態】
以下、添付図面を参照して本発明の実施の形態を説明する。
【００１８】
図１に示す丸太構造材ＷＳ−１は、複数（図示の例では７本）の長尺（例えば１ｍ）の丸太１素材を並列に配置し、前記丸太１の縦方向上の２ヶ所を横方向に対し矩形を為す鋼製バンド部材２で囲んで強固に固定し、前記バンド部材の横方向の両側から、各素材１に対し固定部材として例えば釘３を打ち、縦横ＡＢ＝１ｍ×１．５ｍの規格寸法に仕上げたものである。
【００１９】
丸太１としては、樹皮をそのまま残したものでも良く、樹皮を剥いだものでも良い。丸太１は、一定ピッチＰ１で配列し、丸太１相互の間に隙間Ｄを作る。隙間Ｄの存在により、自然な丸太１の存在感を醸し出すことができる。丸太１には、必要に応じ防腐剤を浸透させ、耐侯、耐久性を持たせることができる。
【００２０】
鋼製バンド部材２は、アングルや帯鋼を組んで作ることができる。帯鋼の場合、横方向に対する曲げ強度が不足するので、適宜アングル材を組み込む。組み付けは、溶接であっても、ボルト接合であっても良い。
【００２１】
釘３は、バンド部材２から丸太１の中心位置まで伸びる長さのものを使用する。バンド部材２と丸太との間に隙間が生じることが有るが、基本的には片寄せ、即ち、一方の面においてバンド材２と接触させ、他方の面に隙間を発生させ、必要に応じ各隙間長さの管状スペーサを位置させ、スペーサ内に釘を通し、相互ずれを生じないようにすること等ができる。
【００２２】
以上の通り構成される丸太構造材ＷＳ−１は、一般的には、図示のように、縦方向を上下方向に一致させ、壁材、フェンス材等として用いることができる。特殊な使い方としては、縦方向の上下位置を溝幅の端線に乗せるようにして橋桁や溝蓋、会所蓋等として利用することができる。建築壁材として、内又は外にコンパネを張り、壁面構築するのに用いることもできる。この場合、断熱性の高い丈夫な壁面とすることができる。
【００２３】
図２に示す丸太構造材ＷＳ−２は、横幅を一定ピッチＰ２と成るよう片面又は両面を製材した丸太４を隙間なく並列配置し、前記丸太４の縦方向の２ヶ所を横方向に対し矩形を為す帯状鋼製バンド部材５で強固に固定したものである。前記バンド部材５から各丸太４に対しては、図１のものと同様に釘３を打っている。帯状鋼製バンド部材５の長さを丸太４から見て横方向となる寸法Ｂと一致させるため、両端に位置する丸太４には、バンド部材５の厚みに相当するだけの切り込みを設けている。
【００２４】
以上の通り構成させる丸太構造材ＷＳ−２は、丸太４相互に隙間がないので、図示の通り、丸太４を水平として上下に積み重ねた形で使用することができ、高度の圧力に耐えることができる。構造材ＷＳ−２の丸太４の表面の一部に切り込みを設け、帯状鋼製バンド部材５を丸太４の平面内に沈めることができる。また帯状鋼製バンド部材５の片面をアングル材に代えることができる。この場合アングル材が表面から突出する形になるが、壁内、桁下等に位置させる等、支障の無い所に使用すれば良い。各丸太が接触しているので、気密性、断熱性、防音性に優れた構造材とすることができる。
【００２５】
図３に示す丸太構造材ＷＳ−３は、図１に示した丸太構造材ＷＳ−１の一平面に、ラス網６を介してコンクリートを打ち、板状コンクリート７を一体化させたものである。各丸太１は、バンド部材２に対し、板状コンクリート７と反対面で、相互に接触するよう配置している。また、バンド部材２の反対面は、コンクリート補強材として、板状コンクリート７内に埋没するよう配置している。
【００２６】
以上の通り構成させる片面コンクリート一体型の丸太構造材ＷＳ−３は、一平面がコンクリート製の面となり、建築壁面への使用により、そのままコンクリート製の壁面とすることができる。また、コンクリート面を上面として溝間に渡すことにより仮設橋等として使用することができる。表面コンクリート製のフェンスとすることもできる。
【００２７】
図４に示す丸太構造材ＷＳ−４は、図１に示した丸太構造材ＷＳ−１の縦方向端部を残した全面にラス網６を介してコンクリートを打ち、全周板状のコンクリート８を巻いたものである。
【００２８】
以上の通り構成される両面コンクリート一体型の丸太構造材ＷＳ−４は、両面がコンクリートとなるので、厚みＣを含めて、正確に定寸仕上げすることができ、各種壁面に組み合わせて使用できる。図示しないがコンクリート８中にナット部材を埋め込んでおくことにより、接合材を介して適宜接合して使用できる。
【００２９】
図５に示す丸太構造材ＷＳ―５は、図３に示す片面コンクリート一体型の丸太構造材ＷＳ−３に比べ、両端面を製材した丸太４を用いた点と、一部鉄筋９を用いたバンド部材１０とした点が異なる。バンド部材１０は、全丸太４の横方向に設けた貫通孔に挿通される鉄筋９と、丸太４の背後を通るアングル材とを、両端でボルト接合して成る。アングル材は、コンクリート７中に埋没される。
【００３０】
以上の通り構成される丸太構造材ＷＳ−５では、表面に一切バンド部材１０が現れない。また、丸太構造材ＷＳ−５の表面は全面丸太であり、自然な美観を呈する。従って、自然な美観を必要とするログハウスやフェンス等に使用できる。反対面を見せれば、コンクリート面となる。バンド部材１０は丸太４に挿通される鉄筋９を有するので、断熱性、防音性を有し、高強度の壁面を構築できる。
【００３１】
図５に示した丸太構造材ＷＳ−５では、両端面を製材した丸太４を用いたが、製材していない丸太１を用いることもできる。このようにすれば、製材不要であるので低コストとすることができる。丸太１間の隙間Ｄにはコンクリート７が介在するので、強度大であり、図５に示すものと同様に使用できる。
【００３２】
図６、図７は、本発明の丸太構造材の使用例を示す説明図である。図６は、図１に示した丸太構造材ＷＳ−１と同様で寸法のみ異なる丸太構造材ＷＳ−６の一使用例を示す。図７は、図４に示す丸太構造材ＷＳ−４の一使用例を示す。
【００３３】
図６に示す丸太構造材ＷＳ−６の使用例では、例えば地中にＨ型鋼材１１を立て、これらＨ型鋼材のＨ形状内面間に丸太構造材ＷＳ−６を嵌装し、壁面構築したものである。丸太構造材ＷＳ−６をＨ型鋼材１１のＨ形状内面間に嵌装するのみで壁面構築できるので、工事が簡単で、容易、低コストで壁面構築できる。
【００３４】
Ｈ型鋼材１１間で支持できる丸太構造材としては、図６に示したものに限定されない。用途に応じ他の丸太構造材ＷＳ−ｉ（ｉ＝１、２、３、４、５、６）を用いることができる。完成された壁面に関しても、フェンスなどとしてそのまま使用することができ、また完成された壁面に化粧板を張り、構造材として使用することもできる。
【００３５】
図７に示す丸太構造材ＷＳ−４の使用例では、Ｃ型鋼材１２の内側面を対向させて上下配置し、その間に丸太構造材ＷＳ−４を嵌装させたものである。本使用例でも、他の丸太構造材ＷＳ−ｉを使用することもできる。前述のＨ型鋼材１１の使用例と組み合わせ、直線的、平面的、立体的に広範囲の組み合わせをすることができる。
【００３６】
耐振構造の壁面を構築するためには、図１〜図５に示した丸太構造材ＷＳ―ｉに、斜交を設けても良い。また、構築された壁面の全体に斜交を設けても良い。さらに、例えば、丸太を２分割し断面半円状とした半丸太を斜交材として組み合わせ、高強度高耐震性の丸太構造材とすることができる。
【００３７】
また、さらに、耐震性の壁面を構築するため、図１〜図５に示した構造材ＷＳ―ｉの相互位置をずらせて千鳥配列し、壁面強度を増加させることもできる。このため、規格寸法は、例えば１ｍ×２ｍの寸法に対し、１ｍ×１ｍの半寸法のものを準備しており、壁面構築の際に千鳥配列を容易に得ることができるようにすることもできる。
【００３８】
竹材等を組み合わせて利用するとき、竹材の筒内に活性炭を充填し、適宜穴を明けた状態で、壁面に防臭、吸着状態を持たせること等もできる。
【００３９】
本発明は、上記実施形態に限定されるものではなく、本発明の要旨を逸脱しない範囲で適宜設計的変更を行うことができ、各種態様で実施できる。
【００４０】
【発明の効果】
以上の通り本発明は、並列配置した丸太素材を鋼製バンド部材で強固に固定して成る丸太構造材であるので、主として間伐材を利用することができ、丸太材の用途拡大によって林業支援できる。
【００４１】
また、丸太素材を用いての構造材は強度が高く、断面熱性、防音性に優れているので、建築構造物、その他道路防音壁やフェンス等として広く利用できる。軽量であり、組立作業が容易で、搬送費用も格別安くて済む。
【００４２】
本発明の丸太構造材は、各種の規格寸法に仕上げられ、Ｈ型鋼材やＣ型鋼材を用いて結合できるので、直線的、平面的、立体的に組み合わせ、任意の形状の建造物を構築できる。
【００４３】
さらに、本発明の丸太構造材は、平板状に構成され、その一面又は両面にコンクリート等の成型体を一体化させることができるので、表面コンクリートその他の成型板製の丸太構造材とすることができ、用途範囲を拡充できる。
【図面の簡単な説明】
【図１】本発明の一実施形態に係る丸太構造材の斜視図である。
【図２】本発明の他の施形態に係る丸太構造材の斜視図である。
【図３】コンクリートを一体化させた本発明の一実施形態に係る丸太構造材の斜視図である。
【図４】端部を残して全面にコンクリートを一体化させた本発明の一実施形態に係る丸太構造材の斜視図である。
【図５】図１〜図４に示したものとは異なるバンド部材を用いた例で示す本発明の一実施形態に係る丸太構造材の斜視図である。
【図６】本発明の丸太構造材の使用例を示す斜視図である。
【図７】本発明の丸太構造材の他の使用例を示す斜視図である。
【符号の説明】
１、４  丸太
２、５、１０  バンド部材
３  釘
６  ラス網
７、８  コンクリート
９  鉄筋
１１  Ｈ型鋼材
１２  Ｃ型鋼材
ＷＳ−ｉ（ｉ＝１、２、３、４、５、６）  丸太構造材
Ａ、Ｂ、Ｃ  寸法
Ｄ  丸太間に生じる隙間
Ｐ１、Ｐ２  丸太配列ピッチ
【図１】
2004230697.tif 000003
【図２】
2004230697.tif 000004
【図３】
2004230697.tif 000005
【図４】
2004230697.tif 000006
【図５】
2004230697.tif 000007
【図６】
2004230697.tif 000008
【図７】
2004230697.tif 000009